(57)【要約】拡張可能かつ収縮可能な部材を有するカテーテルと、該拡張可能かつ収縮可能な部材の周囲に配置された拡張可能な医療デバイスとを備えた医療デバイス供給装置。医療デバイス、および拡張可能かつ収縮可能な部材のうちの少なくとも一方の少なくとも一部には、感圧接着剤が塗布されて、該医療デバイスを該拡張可能かつ収縮可能な部材に接着する。感圧接着剤は、拡張可能かつ収縮可能な部材が拡張状態から収縮することによって医療デバイスを拡張可能かつ収縮可能な部材から解放するよう選択される。適切な医療デバイスには、ステントが含まれる。
2004508885.tif 000002
【特許請求の範囲】
【請求項１】
拡張可能かつ収縮可能な部材を有するカテーテルと、
前記拡張可能かつ収縮可能な部材の周囲に配置された拡張可能な医療デバイスとを備える医療デバイス供給装置であって、
前記医療デバイスと、前記拡張可能かつ収縮可能な部材の少なくとも一方の少なくとも一部には、該医療デバイスを該拡張可能かつ収縮可能な部材に接着するための感圧接着剤が塗布され、前記感圧接着剤は、前記部材の拡張状態からの収縮によって医療デバイスを拡張可能かつ収縮可能な部材から解放するよう選択される医療デバイス供給装置。
【請求項２】
前記拡張可能な医療デバイスはステントである請求項１に記載の医療デバイス供給装置。
【請求項３】
前記拡張可能かつ収縮可能な部材は医療用バルーンである請求項２に記載の医療デバイス供給装置。
【請求項４】
前記ステントは内側面および外側面を有し、該内側面はバルーンに面し、かつ前記感圧接着剤はステントの内側面に塗布されている、請求項３に記載の医療デバイス供給装置。
【請求項５】
前記ステントは先端および基端を有し、かつ前記感圧接着剤はステントの基端および先端の少なくとも一方に塗布されている、請求項４に記載の医療デバイス供給装置。
【請求項６】
前記感圧接着剤はステントの基端のみに塗布されている請求項５に記載の医療デバイス供給装置。
【請求項７】
前記感圧接着剤はステントの先端のみに塗布されている請求項５に記載の医療デバイス供給装置。
【請求項８】
前記感圧接着剤はステントの基端および先端のみに塗布されている請求項５に記載の医療デバイス供給装置。
【請求項９】
前記感圧接着剤はステントの基端および先端、並びにステントの基端と先端との間の中間部分にのみ塗布されている請求項５に記載の医療デバイス供給装置。
【請求項１０】
前記感圧接着剤はステントの内側面全体に塗布されている請求項４に記載の医療デバイス供給装置。
【請求項１１】
前記ステントは基端、先端、および基端と先端との間の中間部分を有し、かつ感圧接着剤はステントの前記中間部分のみに塗布されている請求項４に記載の医療デバイス供給装置。
【請求項１２】
前記感圧接着剤は、ステントに周方向の帯の形態で塗布されている請求項４に記載の医療デバイス供給装置。
【請求項１３】
前記感圧接着剤は、ステントに長手方向の細長片の形態で塗布されている請求項４に記載の医療デバイス供給装置。
【請求項１４】
前記感圧接着剤は、ステントに螺旋状の細長片の形態で塗布されている請求項４に記載の医療デバイス供給装置。
【請求項１５】
前記感圧接着剤は、未拡張状態のバルーンに塗布されている請求項３に記載の医療デバイス供給装置。
【請求項１６】
カテーテル上の拡張した拡張部材の周囲に配置された拡張した医療デバイスであって、該拡張した医療デバイスは、前記拡張部材の収縮によって解放する感圧接着剤を用いて、拡張した拡張部材に接着されている医療デバイス。
【請求項１７】
前記拡張部材は医療用バルーンであり、かつ前記拡張した医療デバイスはステントである、請求項１６に記載の拡張したステント。
【請求項１８】
前記感圧接着剤はステントの内側面に塗布されている請求項１７に記載の拡張したステント。
【請求項１９】
体内に植設するために拡張可能な医療デバイスを拡張部材に固定する方法であって、
内側面および外側面を有する拡張部材を提供する工程と、
内側面および外側面を有する拡張可能な医療デバイスを提供する工程と、拡張部材の外側面と拡張可能な医療デバイスの内側面の少なくとも一方はその面に塗布された感圧接着剤を有することと、
拡張可能な医療デバイスを拡張部材の周囲に配置して、拡張可能な医療デバイスを拡張部材に接着する工程とからなり、拡張可能な医療デバイスは拡張状態において拡張部材の収縮によって拡張部材から解放される接着方法。
【請求項２０】
前記拡張可能な医療デバイスはステントであり、かつ前記拡張部材は医療用バルーンである、請求項１９に記載の方法。
【請求項２１】
前記感圧接着剤はステントの内側面に塗布されている請求項２０に記載の方法。
【請求項２２】
拡張した医療デバイスを所望の身体の位置に供給する方法であって、
請求項１５に記載の拡張した医療デバイスを所望の身体の位置に提供する工程と、
拡張部材を収縮させることにより、拡張した医療デバイスを拡張部材から解放する工程と、
拡張部材およびカテーテルを身体から抜去する工程とからなる方法。
【請求項２３】
前記拡張した医療デバイスが所望の身体の位置に留置される請求項２２に記載の方法。
【請求項２４】
前記拡張した医療デバイスはステントであり、かつ前記拡張部材はバルーンである、請求項２２に記載の方法。
【請求項２５】
拡張可能かつ収縮可能な部材を有するカテーテルと、
前記拡張可能かつ収縮可能な部材の周囲に配置された拡張可能な医療デバイスとを備える医療デバイス供給装置であって、
前記医療デバイスおよび前記拡張可能かつ収縮可能な部材の少なくとも一方の少なくとも一部には、該医療デバイスを該拡張可能かつ収縮可能な部材に接着するための感圧接着剤が塗布されており、前記感圧接着剤は、前記部材の拡張状態からの収縮によって医療デバイスを拡張可能かつ収縮可能な部材から解放するよう選択されている医療デバイス供給装置。
【請求項２６】
前記拡張可能な医療デバイスは、ステント、ステント−グラフト、グラフト、および大静脈フィルターのうちから選択される請求項２５に記載の医療デバイス供給装置。
【請求項２７】
拡張可能かつ収縮可能な部材を有し、かつ該部材は収縮状態にあるカテーテルと、
前記拡張可能かつ収縮可能な部材の周囲に配置され、かつ未拡張状態にある拡張可能な医療デバイスとを備える医療デバイス供給装置であって、
前記医療デバイスおよび前記拡張可能かつ収縮可能な部材の少なくとも一方の少なくとも一部には、該医療デバイスを該拡張可能かつ収縮可能な部材に接着するための感圧接着剤が塗布されており、前記感圧接着剤は、前記拡張可能かつ収縮可能な部材の未拡張状態からの拡張によって医療デバイスを拡張可能かつ収縮可能な部材から解放するよう選択されている医療デバイス供給装置。
【請求項２８】
前記拡張可能な医療デバイスはステントであり、かつ前記拡張可能かつ収縮可能な部材はバルーンである請求項２７に記載の医療デバイス供給装置。
【請求項２９】
前記拡張可能な医療デバイスは、ステント、ステント−グラフト、グラフトおよび大静脈フィルターのうちから選択される請求項２６に記載の医療デバイス供給装置。
【発明の詳細な説明】
【０００１】
（発明の背景）
拡張可能なステントおよび他の補綴具の使用は当業者に周知である。一般にステントは、血管形成術または他の処置中において、または処置後において血管内に配置され身体脈管の開通性を保持する。ステントは、循環系にて度々使用される一方、泌尿器系を含む他の身体部分への利用も可能であることが見出されている。
【０００２】
ステントは概して、機械的拡張可能型であるか、または自己拡張型もしくは機械的拡張可能型および自己拡張型の複合型である。複合型のステントは概して、ある一定の直径に自己拡張し、その後さらに大きな直径または開口まで機械的に拡張される。機械的拡張可能型のステントは、通常、ステント内に位置するバルーン等の拡張装置を介して、放射方向外側の力を適用されて拡張される。
【０００３】
使用の際、ステントは、カテーテルの先端においてバルーン等の拡張装置の周囲に配置される。カテーテルの一部を所望の身体脈管内に挿入し、所望の身体の位置へと前進させる。その後、バルーンまたは他の拡張装置を拡張させて、それによってステントを拡張させて、ステントを所望の身体の位置に挿入する。続いて、バルーンまたは他の拡張装置を収縮させて身体から抜去し、ステントを身体内に留置する。
【０００４】
残念ながら、バルーンまたは他の拡張装置にステントがしっかり固定されていないと、ステントを所望の身体の位置へ供給する間、およびステントを拡張している間に、ステントのバルーンまたは他の拡張装置に対する望ましくないずれまたは移動が生じる。このずれまたは移動を防止するために、数々の手法が試みられている。
【０００５】
手法の一つは、ステントをバルーンに強固にクリンプさせることに関する。しかしながら、バルーンの破裂を避けかつステントの損傷を避けるために、注意を要する必要がある。
【０００６】
他の手法の一つは、バルーンに対するステントのずれがより小さい、より弾性の高いバルーン表面を提供するために、バルーンの材料選択に焦点を当てるものである。しかしながら、より弾性の高いバルーン材料は、バルーンの破裂圧力およびノンコンプライアンスの特徴を損なう可能性がある。高強度の材料からなるベース層と弾性体の表面層との同時押出し成形が考慮されているが、親和性のよい材料を見出すことは困難である。
【０００７】
バルーンとステントとの相対的な移動を防止する更なる他の手法の一つは、ジェンダーシー（Ｊｅｎｄｅｒｓｅｅ）による米国特許第５，８３６，９６５号に開示されているように、バルーンをステントの形状に整えることに関する。同時係属中の本発明の譲受人に譲渡された米国特許出願第０９／２８３３７５号には、バルーン上にて突出物を使用することによってステントを係合させることが開示されている。同時係属中の本発明の譲受人に譲渡された米国特許出願第０９／４０７８３６号および第０９／４２７８０５号に開示されているように、ステントをスリーブまたはソックスを使用してバルーン上に保持してもよい。
【０００８】
更なる他の手法の一つは、ステントをバルーンに接着するための接着剤の使用に関する。米国特許第５，１００，４２９号には、光分解可能な接着剤を使用して、ステントを膨張可能なバルーンに取り付けることが開示されている。紫外線エネルギーを接着剤へ指向させることによってステントをバルーンから解放させるまで、バルーンはステント上の所定の位置に保持される。次いでバルーンを拡張させてステントを植設する。
【０００９】
接着剤を使用してステントをバルーンに固定することは、米国特許第５，６４３，２７８号にも開示されている。ここに開示されているように、ステントとバルーンとの間の接着剤接着は、バルーンが拡張すると破壊される。従って、バルーンが一度拡張すると、ステントとバルーンとの間に相対移動が発生し得る。それによってバルーンが拡張する間にバルーンの所望の身体の位置からの望ましくない移動がある場合に、正確なステント配置が妨げられる。
【００１０】
バルーン膨張前およびバルーン膨張後、ステントがバルーンから解放される時点であるバルーン収縮時まで、バルーンに接着されているステントを提供することが望ましい。ステントをバルーン収縮時までバルーンに接着させることによって、開業医は、ステントを解放する前に、バルーン拡張後であるがバルーン収縮前にステントの身体内位置を調整するという選択肢を有する。
【００１１】
本願のいずれかにて言及される全ての米国特許および米国特許出願、ならびに全ての刊行物は、その全体が参照により本願に援用される。
本発明の様々な実施態様を、下記に要約する。本発明の付加的な詳細および／または本発明の付加的な実施態様は、下記の「発明の詳細な説明」に見出すことができる。
【００１２】
（発明の簡単な要約）
本発明はその一実施態様において、拡張可能かつ収縮可能な部材を有するカテーテルと、拡張可能かつ収縮可能な部材の周囲に配置された拡張可能な医療デバイスとを備える医療デバイス供給装置に関する。医療デバイスと、拡張可能かつ収縮可能な部材のうちの少なくとも一方の少なくとも一部には、医療デバイスを拡張可能かつ収縮可能な部材に接着するための感圧接着剤が塗布されている。感圧接着剤は、拡張可能かつ収縮可能な部材の拡張状態からの収縮によって医療デバイスを拡張可能かつ収縮可能な部材から解放するよう選択される。医療デバイスはステントであることが望ましい。
【００１３】
他の一実施態様において、本発明は、カテーテル上の拡張した拡張部材の周囲に配置された拡張した医療デバイスに関する。拡張した医療デバイスは、拡張部材の収縮によって解放する感圧接着剤を用いて、拡張した拡張部材に接着されている。
【００１４】
更に他の一実施態様において、本発明は、拡張した医療デバイスを所望の身体の位置に供給する方法に関する。本方法は、本発明による拡張した医療デバイスを所望の身体の位置に提供する工程と、拡張部材を収縮させることにより、拡張した医療デバイスを拡張部材から解放する工程と、拡張部材およびカテーテルを身体から抜去する工程とからなり、拡張した医療デバイスは所望の身体の位置に留置される。
【００１５】
他の一実施態様において、本発明は、体内に植設するために拡張可能な医療デバイスを拡張部材に固定する方法に関する。本方法は、内側面および外側面を有する拡張部材を提供する工程と、内側面および外側面を有する拡張可能な医療デバイスを提供する工程と、ここで拡張部材の外側面と拡張可能な医療デバイスの内側面の少なくとも一方はその面に塗布された感圧接着剤を有することと、拡張可能な医療デバイスを拡張部材の周囲に配置して、拡張可能な医療デバイスは拡張状態において拡張部材の収縮によって拡張部材から解放されるように拡張可能な医療デバイスを拡張部材に接着する工程とからなる。
【００１６】
更に他の一実施態様において、本発明は、拡張可能かつ収縮可能な部材を有するカテーテルを備える医療デバイス供給装置に関する。拡張可能かつ収縮可能な部材は、収縮状態にある。拡張可能かつ収縮可能な部材の周囲には拡張可能な医療デバイスが配置されている。拡張可能な医療デバイスは未拡張状態にあり、ここで医療デバイスと拡張可能かつ収縮可能な部材の少なくとも一方の少なくとも一部には、医療デバイスを拡張可能かつ収縮可能な部材に接着するための感圧接着剤が塗布されている。感圧接着剤は、拡張可能かつ収縮可能な部材の未拡張状態からの拡張によって医療デバイスを拡張可能かつ収縮可能な部材から解放するよう選択される。
【００１７】
（発明の詳細な説明）
本発明は多数の異なる形態で実施され得るが、本願では本発明の特定の模範的実施態様を詳細に説明する。この説明は、本発明の原理の例証であり、本発明を記述する特定の実施態様に限定することを意図するものではない。
【００１８】
一実施態様において、本発明は、概して図１の符号１００に示すようなステント供給装置に関する。ステント供給装置１００は、その周囲にバルーン１０８が配置されたカテーテル１０４と、バルーン１０８の周囲に配置された拡張可能なステント１１２とを備える。医療用バルーン１０８には、膨張ルーメン（図示せず）を経由して膨張流体が供給されてもよい。本発明に使用する適切なステント供給装置の構成に関して、付加的な詳細が米国特許第６，０３６，６９７号、米国特許第５，８９３，８６８号、および米国特許第５，９５７，９３０号、ならびに他の特許文献にて見出すことができる。金属、ポリマー材料、または他の材料から形成される任意の適切なステントが使用可能である。適切なステントの例は、同時係属中の、本発明の譲受人に譲渡された米国特許出願第０８／５１１０７６号および米国特許第６，０３３，４３３号に開示されている。医療用バルーン１０８は、拡張可能かつ収縮可能である。医療用バルーン１０８は、当業者に周知の任意のバルーン材料から形成され得る。バルーン材料の例は、米国特許第５，５５６，３８３号および米国特許第６，０２４，７５２号に見出すことができる。感圧接着剤１２４がステント１１２に塗布されて、ステント１１２を医療用バルーン１０８に接着する。感圧接着剤は、バルーン１０８の収縮によってステント１１２を医療用バルーン１０８から解放するよう選択される。
【００１９】
図１に示すように、ステント１１２は、内側面１１４および外側面１１６、基端１１８、先端１２０、および中間部分１２２を有する。感圧接着剤１２４は、ステント１１２の基端１１８および先端１２０の内側面１１４に塗布される。本発明は、図２に示すように、感圧接着剤１２４をステント１１２の基端１１８の内側面１１４のみに塗布することも考慮している。本発明はさらに、図３に示すように、感圧接着剤１２４をステント１１２の先端１２０の内側面のみに塗布することを考慮している。接着剤を図４に示すように、ステント１１２の中間部分１２２に限定して塗布してもよい。本発明の他の実施態様において、感圧接着剤は、ステントの中間部分の内側面と、ステントの少なくとも一方の端部の内側面とに塗布される。感圧接着剤をステントの内側面全体に塗布してもよい。
【００２０】
感圧接着剤は図５に示すように、一つ以上の連続的な周方向の帯１２４ａおよび／または不連続な周方向の帯１２４ｂの形態で、ステントの内側面に塗布され得る。連続帯がステントに塗布可能であるか否かは、ステントの構成に依る。
【００２１】
図６に示すように感圧接着剤は、ステント設計に従って、一つ以上の連続的な長手方向の帯１２４ａおよび／または不連続な長手方向の細長片１２４ｂの形態でステントの内側面に塗布され得る。本発明は、感圧接着剤を一つ以上の螺旋状（連続または不連続）の細長片の形態でステントの内側に塗布することも想定している。
【００２２】
図７に示すように、感圧接着剤をステント１１２の縁部１２８に塗布してもよい。
感圧接着剤は、ステント断面を増加させないように、非常に薄い層で塗布されることが望ましい。特に、感圧接着剤を、ステントの異なる部分に選択的に塗布する場合には、バルーンに対してステント表面がほぼ平滑に提供されるように、感圧接着剤を非常に薄い層で提供することが望ましい。
【００２３】
本発明は、感圧接着剤をバルーンに塗布することも想定している。しかしながら、感圧接着剤は、バルーンの拡張を妨害または阻止するように塗布されてはならない。感圧接着剤は、バルーンをカテーテル上に装着した後、バルーンが未拡張状態のときに、バルーンを適切に折り畳んだ後、バルーンの折り畳まれた箇所に塗布されることが望ましい。感圧接着剤は、バルーン全体に塗布されてもよいし、周方向の帯状に、螺旋パターンに、もしくは長手方向の細長片状に塗布されてもよく、接着剤は連続的な形態でも不連続な細長片の形態のいずれでもよい。感圧接着剤は、バルーンの一端または両端に、限定して塗布され得る。より一般的には、接着剤は、ステントに関して本願に開示した任意のパターンを含む、他の任意の適切な幾何学的形状またはパターンで塗布され得る。感圧接着剤は、バルーンの周囲にステントを配置する前にバルーンに塗布してもよいし、バルーンの周囲にステントを配置している間にバルーンに塗布してもよい。後者の場合は、感圧接着剤をバルーンに塗布した後に除去し得るマスクをステントに施すことが望ましい。
【００２４】
感圧接着剤は、当業者に知られる標準的方法を用いて、ステントまたはバルーン上に噴霧、塗装または他の方法で塗布する。接着剤がステントまたはバルーンの一部のみに塗布する場合には、接着剤の塗布をステントまたはバルーンの所望の一部に制限するために、任意にてマスクを使用し得る。
【００２５】
本発明はより一般的に、上記に開示した任意の技術を使用した、医療デバイスをバルーンに固定するための接着剤の使用に関する。医療デバイスは、ステント、ステント−グラフト、グラフト、大静脈フィルターおよび他のフィルターを含む、身体内において解放されるべき任意の拡張可能な医療デバイスであり得る。
【００２６】
他の実施態様において、本発明は、カテーテル上の拡張した拡張部材の周囲に配置された拡張した医療デバイスに関し、ここで拡張した医療デバイスは、拡張部材の収縮によって解放する感圧接着剤を用いて拡張した拡張部材に接着されている。拡張した部材は医療用バルーンであることが望ましい。拡張した医療デバイスは、ステントであることも望ましい。感圧接着剤は、拡張した部材上、医療デバイス上、もしくは双方の上に存在し得る。
【００２７】
他の一実施態様において、本発明は、拡張可能かつ収縮可能な部材を有するカテーテルと、拡張可能かつ収縮可能な部材の周囲に配置された拡張可能な医療デバイスとを備える医療デバイス供給装置に関する。医療デバイスと、拡張可能かつ収縮可能な部材の少なくとも一つの少なくとも一部には、医療デバイスを拡張可能かつ収縮可能な部材に接着するための感圧接着剤が塗布されている。感圧接着剤は、拡張可能かつ収縮可能な部材の拡張状態からの収縮によって、医療デバイスを拡張可能かつ収縮可能な部材から解放するよう選択される。
【００２８】
拡張可能かつ収縮可能な部材は医療用バルーンであることが望ましい。本発明は、他の拡張可能かつ収縮可能な機械的装置の使用も想定している。機械的拡張装置には、米国特許第５，２１１，６５４号に開示されているようなスプリングと、米国特許第５，８５５，５６５号に開示されているような機械的な拡張器具が含まれる。
【００２９】
感圧接着剤は、バルーンおよびステントと連携して、所望の体内位置への進行に十分耐えるだけの強力な接着を形成し、さらに拡張後、バルーン収縮時に解放するものでなければならない。感圧接着剤によって形成される接着は、バルーン膨張力に耐えることが望ましい。折り畳んだバルーンによって予想され得るような接着の破壊が発生した場合は、接着剤は、バルーンが拡張するにつれ、およびバルーンが一度完全に拡張されたときに、接着を再形成することが可能でなくてはならない。
【００３０】
本発明で使用する適切な感圧接着剤には、ケイ素系感圧接着剤、アクリル系感圧接着剤、およびポリウレタン系感圧接着剤が含まれる。アクリル系感圧接着剤の例には、ＮｅｏＴａｃＡ−５８０（商標）、 ＮｅｏＴａｃＡ−５７４（商標）、 ＮｅｏＴａｃ２０１０（商標）、 ＮｅｏＴａｃ２４６５（商標）、 ＮｅｏＴａｃ５４６８（商標）が含まれ、これらは全てゼネカレジン（Ｚｅｎｅｃａ　Ｒｅｓｉｎｓ）［ 米国マサチューセッツ州］ 社製である。ポリウレタン系の感圧接着剤には、同様にゼネカレジン社製のＮｅｏＴａｃ５６０（商標）が含まれる。感圧接着剤は、ステントおよびバルーンが身体の流体と接触するときに良好な接着が保証されるように、良好な耐水性を有することが望ましい。接着剤は生体適合性であることもまた望ましい。特定の感圧接着剤の選択は、バルーンおよびステントの選択に従う。
【００３１】
本発明によれば、感圧接着剤は任意の幾何学的形状またはパターンにてステントに塗布され得る。ステントまたは拡張可能な医療デバイスに接着剤を塗布する際の位置およびパターンの選択は、ステントまたは医療デバイスの供給に使用する医療デバイス供給装置、および他の要因に従う。ステントに対する最大の制御を保持するために、ステント全体が接着剤で被覆されてもよい。ステントに対する制御を可能な限り長時間保持するために、感圧接着剤を、バルーンの破裂接触を招くのに最も可能性の低いステント箇所に塗布することが望ましい。この箇所がステントの基端、先端、中間部分、またはステントに沿った他の部分のいずれであるかは、バルーンおよび医療供給装置の構成に従う。
【００３２】
更に他の一実施態様において、本発明は体内に植設するために拡張可能な医療デバイスを拡張部材に固定する方法に関する。本方法によれば、内側面および外側面を有する拡張部材と、同様に内側面および外側面を有する拡張可能な医療デバイスとを提供する。前記拡張部材の外側面と前記拡張可能な医療デバイスの内側面の少なくとも一方はその面に塗布された感圧接着剤を有する。拡張可能な医療デバイスは、拡張部材の周囲に配置され、拡張部材に接着されている。拡張状態の拡張可能な医療デバイスは、拡張状態において拡張部材の収縮によって拡張部材から解放される。拡張可能な医療デバイスは、ステント、ステント−グラフト、グラフト、大静脈フィルターまたは他のフィルターが望ましい。拡張部材は医療用バルーンであることもまた望ましい。
【００３３】
更に他の一実施態様において、本発明は、拡張した医療デバイスを所望の身体の位置に供給する方法に関する。本方法の一部として、カテーテル上の拡張した拡張部材の周囲に配置された拡張した医療デバイスを、所望の身体の位置に提供する。拡張した医療デバイスは、拡張部材の収縮によって解放される感圧接着剤を用いて拡張した拡張部材に接着される。拡張部材を収縮させることにより、拡張した医療デバイスを拡張部材から解放し、拡張部材およびカテーテルを身体から抜去する。拡張した医療デバイスは、ステント、ステント−グラフト、グラフト、大静脈フィルターまたは他のフィルターが望ましい。拡張部材はバルーンであることもまた望ましい。
【００３４】
更に他の一実施態様において、本発明は、拡張可能かつ収縮可能な部材を有するカテーテルを備える医療デバイス装置に関する。拡張可能かつ収縮可能な部材は、収縮状態にある。拡張可能な医療デバイスは、拡張可能かつ収縮可能な部材の周囲に配置されている。拡張可能な医療デバイスは未拡張状態にあり、医療デバイスと拡張可能かつ収縮可能な部材のうちの少なくとも一方の少なくとも一部には、医療デバイスを拡張可能かつ収縮可能な部材に接着するための感圧接着剤を有する。感圧接着剤は、拡張可能かつ収縮可能な部材の未拡張状態からの拡張によって医療デバイスを拡張可能かつ収縮可能な部材から解放するよう選択される。
【００３５】
使用時には、収縮状態の医療デバイス（またはステント）は、感圧接着剤が存在するため、拡張部材（またはバルーン）に接着している。拡張部材が拡張するにつれ、拡張部材と医療デバイスとの間の接着の一部が破壊され得る。にもかかわらず医療デバイスが完全に拡張されているときであって、かつ拡張部材が収縮する前において、医療デバイスは、拡張部材と医療デバイスとの間の圧力によって、拡張部材に接着したままであるかまたは拡張時に破壊された接着位置にて接着を回復する。
【００３６】
上述の実施態様および請求項に関するものに加えて、本発明はさらに上述の特徴および／または請求項に従った異なる組み合わせにも関する。
上述の開示は、例証を意図するものであり、包括的なものではない。この記述は当業者に多数の変更および代替物を提示するであろう。これら全ての代替物および変更は付記する請求項の範囲に含まれることを意図する。当業者は本願に記述される特定の実施態様の他の等価物を認識し得るが、これらの等価物もまた本願の請求項の範囲に含まれることを意図する。
【００３７】
２０００年９月２２日に出願の、米国特許出願第０９／６６７，９１６の趣旨は、その全体が参照として本願に援用される。
【図面の簡単な説明】
【図１】ステントが医療用バルーンに接着した医療用供給装置の側面断面図。
【図２】ステントの基端上に感圧接着剤を有するステントの概略断面図。
【図３】ステントの先端上に感圧接着剤を有するステントの概略断面図。
【図４】ステントの中間部に感圧接着剤を有するステントの概略断面図。
【図５】ステント上に連続および不連続な感圧接着剤帯を有するステントの概略側面図。
【図６】ステント上に連続および不連続な感圧接着剤の長手方向細長片を有するステントの概略側面図。
【図７】ステント端部の一部を示す図。
【国際公開パンフレット】
2004508885.tif 000003
2004508885.tif 000004
2004508885.tif 000005
2004508885.tif 000006
2004508885.tif 000007
2004508885.tif 000008
2004508885.tif 000009
2004508885.tif 000010
2004508885.tif 000011
2004508885.tif 000012
2004508885.tif 000013
2004508885.tif 000014
2004508885.tif 000015
2004508885.tif 000016
2004508885.tif 000017
2004508885.tif 000018
2004508885.tif 000019
【国際公開パンフレット（コレクトバージョン）】
2004508885.tif 000020
【国際調査報告】
2004508885.tif 000021
2004508885.tif 000022